(57)【要約】      （修正有）【課題】従来の球体回収器具は、立ったまま複数個のボールを回収出来たが、複数個密集している球体を回収する場合は、球体を散らしてしまい回収するのに手間が掛かる不都合があった。本発明は、地面に１個づつ散らばった球体，複数個密集している球体を回収する場合も球体を大きく散らす事無く効率的に回収する球体回収器具を提供する事を課題とする。【解決手段】本発明によれば、１個づつ散らばった球体を回収する場合は底面に設けた球体回収手段を使い、複数個密集した球体を回収する場合は、側面に設けた回収する球体が入れる開口部５４を使う事で回収器具周辺の球体を大きく散らす事なく球体を回収する事が出来るので球体回収作業を効率的にする効果が得られる。【選択図】図３
2020062409.tif 000002
【特許請求の範囲】
【請求項１】
地面に散乱している球体を回収する球体回収器具において、
底面に同じ向きに設けた複数の棒体と、
上記各棒体間を回収する球体の直径より短い間隔の自由長で接続する弾性体と、
上記各棒体の間隔が変化できる状態で上記棒体を支えるフレームと、
全ての側面または一部の側面に回収する球体が入れる開口部と、
全ての側面または一部の側面に回収する球体が出れる開口部と、
を設けたことを特徴とする球体回収器具。
【発明の詳細な説明】
【技術分野】
【０００１】
本発明は、地面に散乱しているボール、果物の様な球体を回収する器具に関する。
【背景技術】
【０００２】
例えば、練習後の散乱したテニスボ−ルを集める場合、肉体的・時間的に大変苦労をする。
【０００３】
以上の問題点を解消した公知発明として特許文献１に記載の筒型テニスボール拾い器が存する。筒の先端に弁を設けた事で立ったままボールを回収する器具である。肉体的には楽になるが、１個毎の回収となるので時間が掛かる不都合があった（図１参照）。
【０００４】
また、公知発明として特許文献２に記載のボール拾上具がある。把杆の先端にコイル状線材を設けてコイル状線材間の間隔をボール直径よりも小さくする事で、コイル線材の線間によりボールを回収する器具である。複数個のボールを同時に回収する事ができる（図２参照）。
【先行技術文献】
【特許文献】
【０００５】
【特許文献１】実用新案登録第３１５２００７号
【特許文献２】実公昭６０−６９１５０号公報
【発明の概要】
【発明が解決しようとする課題】
【０００６】
前記の特許文献２記載のボール拾上具は、立ったまま複数個のボールを回収する器具で肉体的に楽で時間的にもある程度短時間にする効果がある。しかし、複数個密集して転がっているボールを回収する場合は、コイル状線材が邪魔になり回収前のボールを散らしてしまい回収するのに手間が掛かる不都合もあった。
【０００７】
本発明は、前記従来技術の問題点改善のため創作したもので、地面に1個づつ散らばった球体，複数個密集した球体を回収する動作により回収前の球体を大きく散らす事無く効率的に回収する球体回収器具を提供する事を課題とする。
【課題を解決するための手段】
【０００８】
本発明は、前記従来技術の問題点改善のため創作したもので、地面に１個づつ散らばった球体，複数個密集した球体を回収する動作により回収前の球体を大きく散らす事無く効率的に回収する球体回収器具を提供する事を目的とする。
【０００９】
図３に本発明の構成を示す。球体回収器具の底面に同じ向きに設けた複数の棒体５１と、上記各棒体間を回収する球体の直径より短い間隔の自由長で接続する弾性体５２と、上記各棒体の間隔が変化できる状態で上記棒体を支える上記フレーム６０と、全ての側面または一部の側面に回収する球体が入れる開口部５４と、全ての側面または一部の側面に回収する球体が出れる開口部５５と、を設けたことを特徴とする。
【００１０】
上記、本発明の構成により球体回収器具の底面から球体を回収する機構を薄い厚みの平面状に構成出来るので、球体回収器具の側面に回収する球体が入れる開口部を設ける事が出来る。
【００１１】
把杆４０を設ける事で立ったまま球体を回収出来る事は、実施例として開示する。
【発明の効果】
【００１２】
本発明の球体回収器具によれば、図４に示す様に複数個密集した球体を回収する場合は、球体回収器具の側面に設けた球体が入れる開口部５４より球体を回収出来る。
【００１３】
１個づつ散らばった球体を回収する場合は、球体回収器具の底面を球体に押付ける事で底面の棒体５１の間隙が拡がり回収出来る。
【００１４】
球体回収器具の底面を球体に押付けると棒体５１の間隙を押し拡げる力が加わり弾性体５２が伸びて棒体５１の間隙が拡がり球体が通り抜ける。通り抜けると弾性体５２が元の長さに戻り球体回収器具を持上げても球体が底面から落ちないので、回収出来る。
【００１５】
上記により地面に１個づつ散らばった球体，複数個密集した球体を回収する動作で未回収の球体を大きく散らす事が無くなるので、球体回収作業を効率的にする効果が得られる。
【図面の簡単な説明】
【００１６】
【図１】特許文献１の説明図。
【図２】特許文献２の説明図。
【図３】本発明の構成図。
【図４】本発明の作用を示す説明図。
【図５】実施の形態１の球体回収器具の作用を示す説明図。
【図６】実施の形態２の球体回収器具の作用を示す説明図。
【図７】実施の形態３の球体回収器具の作用を示す説明図。
【図８】実施の形態４の球体回収器具の作用を示す説明図。
【図９】実施の形態４の球体回収器具の使用法を示す説明図。
【図１０】実施の形態５の球体回収器具の作用を示す説明図。
【発明を実施するための形態】
【００１７】
以下、本発明の実施の形態を３例、図面を参照して詳細に説明する。
【実施例】
【００１８】
（実施の形態１）
図５は本発明の実施形態１の球体回収器具の作用を示す説明図である。複数個密集した球体を回収する場合は、球体回収器具の前側面と横側面に設けた球体が入れる開口部５４より球体を回収し、１個づつ散らばった球体を回収する場合は球体回収器具の底面を球体に押付ける事で回収する。
【００１９】
回収した球体が球体回収器具に溜まったら図５に示す様に球体回収器具の前側面に設けた球体が出れる開口部５５より排出しカゴ８０に移す。
【００２０】
実施の形態１は、球体回収器具後方に球体保持部５７設ける事で、より多くの球体を保持出来るのでカゴに移す作業頻度を減らし球体回収作業がより効率的になる。
【００２１】
（実施の形態２）
図６は本発明の実施形態２の球体回収器具の作用を示す説明図である。複数個密集した球体を回収する場合は、球体回収器具の前側面と横側面に設けた球体が入れる開口部５４より球体を回収し、１個づつ散らばった球体を回収する場合は球体回収器具の底面を球体に押付ける事で回収する。
【００２２】
実施の形態２は、回収した球体が球体回収器具の横側面に設けた球体が入れる開口部５４から零れ落ちない様に蝶番５８，逆止弁５９を設けた。
【００２３】
逆止弁５９は、球体回収器具の横側面に設けた球体が入れる開口部５４に、蝶番５８を軸に球体回収器具内部方向に動くが外部方向には動かない様に、設ける。
【００２４】
逆止弁５９により球体は球体回収器具内部方向に動けるが、内部から外部へは動けないので、球体回収器具の横側面と底面から球体回収出来て回収した球体は球体回収器具から零れ落ちない効果がある。
【００２５】
回収した球体が球体回収器具に溜まったら球体回収器具の後側面に設けた球体が出れる開口部５５よりカゴ８０に移す事が出来る。
【００２６】
（実施の形態３）
図７は本発明の実施形態３の球体回収器具の作用を示す説明図である。複数個密集した球体を回収する場合は、球体回収器具の前側面と横側面に設けた球体が入れる開口部５４より球体を回収し、１個づつ散らばった球体を回収する場合は球体回収器具の底面を球体に押付ける事で回収する。
【００２７】
実施の形態３は、台車９０にカゴ８０を載せパイプ７０の片側をカゴ上部になる様に固定し反対側を球体回収器具と接続する。
【００２８】
図７に示す様に回収した球体は球体回収器具を高くし傾ける事でパイプ７０を通ってカゴ８０へと転り込む。
【００２９】
球体回収器具を持って移動するとパイプ７０が台車９０を引っ張り一緒に移動するので、カゴ８０が満杯になるまで継続的に球体を回収し続けられる。よって球体回収作業がより効率的になる。
【００３０】
（実施の形態４）
図８，図９は本発明の実施形態４の球体回収器具の作用を示す説明図である。複数個密集した球体を回収する場合は、球体回収器具の前側面と横側面に設けた球体が入れる開口部５４より球体を回収し、１個づつ散らばった球体を回収する場合は球体回収器具の底面を球体に押付ける事で回収する。
【００３１】
実施の形態４は、本発明の球体回収器具を組立式とする事で持ち運びの利便性を高めた実施例である。合わせて把杆を天板に取付ける部分に回転軸を設ける事でボール回収時はボールが球体回収器具の前側面から零れ難く、ボールをカゴに移す時はボールが球体回収器具の前側面から零れ易くした例である。
【００３２】
本実施形態の球体回収器具を持ち運ぶ時は、図８に示す様に把杆と天板と本体に分けて重ねる事でコンパクトにまとめ運びやすく出来る。
【００３３】
本実施形態の球体回収器具を使用する時は、把杆と天板と本体を組合せてボール回収が出来る形状にする。本体に回転軸を介して繋がっている側板，後板を立てて天板を取付ける事で箱形状にしホールド機構により前記箱形状を保持しボール回収部にする。天板に把杆を取付ける。
【００３４】
本実施形態の球体回収器具は把杆を天板に取付ける部分に回転軸を設けた。
ボール回収後に本器具を持上げた時、図９に示す様に本体が傾きボールが後ろに集まる様にする事で回収したボールが前方から零れるのを防ぎ運びやすくなる。
回収したボールをカゴ８０に移す時、図９に示す様にカゴの淵に本体を押付けて回収したボールが前方から零れる様に傾ける。
但し、把杆を天板に取付ける回転軸には、把杆が天板面の垂直方向に対して例えば前後３０度程度以上倒れ込まない様に制限する機構を設ける。それにより把杆が地面まで倒れ込む事が無くなる。
【００３５】
（実施の形態５）
図１０は本発明の実施形態５の球体回収器具の作用を示す説明図である。複数個密集した球体を回収する場合は、球体回収器具の前側面と横側面に設けた球体が入れる開口部５４より球体を回収し、１個づつ散らばった球体を回収する場合は球体回収器具の底面を球体に押付ける事で回収する。
【００３６】
実施の形態５は、本発明の球体回収器具を折畳み式とする事で持ち運びの利便性と器具組立の利便性を高めた実施例である。
【００３７】
本体と側板，後板とを回転軸を介して接続し、側板と天板とをスライダーを介して接続し、天板と伸縮式把杆とを回転軸を介して接続する構造としている。以上の構造に依り図１０の「折畳み時」に示す様に本発明の球体回収器具を小さく折畳め持ち運びの利便性が良い。かつ（実施の形態４）と違い本体，天板，把杆が分離していないので組立の利便性が良い。
【００３８】
図１０の「組立」に示す様に側板，後板を立てるとスライダーを介して天板が持ち上がる事で箱形状にしホールド機構により前記箱形状を保持しボール回収部にする。伸縮式把杆を使い易い長さに伸ばし固定し使用する。
【符号の説明】
【００３９】
１０    球体（ボール）
２０    筒
２１    弁
３０    コイル状線材
４０    把杆
５１    棒体
５２    弾性体
５３    スペーサー
５４    回収する球体が入れる開口部
５５    回収する球体が出れる開口部
５７    球体保持部
５８    蝶番
５９    逆止弁
６０    フレーム
７０    パイプ
８０    カゴ
９０    台車
【図１】
2020062409.tif 000003
【図２】
2020062409.tif 000004
【図３】
2020062409.tif 000005
【図４】
2020062409.tif 000006
【図５】
2020062409.tif 000007
【図６】
2020062409.tif 000008
【図７】
2020062409.tif 000009
【図８】
2020062409.tif 000010
【図９】
2020062409.tif 000011
【図１０】
2020062409.tif 000012